(57)【要約】【課題】    認証を可能にする磁気記録媒体を提供するにある。【解決手段】  磁気記録媒体の基板表面上には、磁気記録領域を定める磁気記録層が形成され、この磁気記録領域には、磁気的に情報の記録が不能な磁気的欠損部が設けられている。【選択図】図１
2006260713.tif 000002
【特許請求の範囲】
【請求項１】
基板と、
互いに隣接配置されるように前記基板表面上を延出される記録トラックと、
前記隣接配置された記録トラックを互いに物理的に分離するトラック分離部と、
前記記録トラックに形成され、磁気的に情報を記録可能な磁気記録層で作られる磁気記録領域と、
前記磁気記録領域を分離するように前記記録トラックに形成され、磁気的に情報の記録が不能な磁気的欠損部と、
を具備することを特徴とする磁気記録媒体。
【請求項２】
前記記録層上の前記欠損部の位置を特定できる位置情報が前記記録トラックに磁気的に消去不可能なパターンとして記録されていることを特徴とする請求項１に記載の磁気記録媒体。
【請求項３】
基板と、
互いに隣接配置されるように前記基板表面上を延出される記録トラックと、
前記隣接配置された記録トラックを互いに物理的に分離するトラック分離部と、
前記記録トラックに周期的に形成され、磁気的に情報を記録可能な磁気記録層で作られる磁気記録ドッドと、
前記磁気記録ドッドの周期的配列を分離するように前記記録トラックに形成され、磁気的に情報の記録が不能な磁気的欠損部と、
を具備することを特徴とする磁気記録媒体。
【請求項４】
前記記録層上の前記欠損部の位置を特定できる位置情報が前記記録トラックに磁気的に消去不可能なパターンとして記録されていることを特徴とする請求項３に記載の磁気記録媒体。
【請求項５】
互いに隣接配置されるように前記基板表面上を延出される記録トラックと、互いに隣接配置された前記記録トラックを互いに物理的に分離するトラック分離部と、前記記録トラックに形成され、磁気的に情報を記録可能な磁気記録層で作られる磁気記録領域と、前記磁気記録領域を分離するように前記記録トラックに形成され、磁気的に情報の記録が不能な磁気的欠損部とを具備する磁気記録媒体と、
前記欠損部の位置を特定できる位置特定情報を取得する取得部と、
前記磁気記録媒体の記録層に情報を記録し、前記記録層から情報を再生する記録再生部と、
前記記録再生部から再生された情報から前記欠損部の位置を抽出し、この抽出された欠損位置と前記位置特定情報とを比較して前記磁気記録媒体を認証する認証部と、
を具備することを特徴とする記録再生装置。
【請求項６】
前記記録層上の前記欠損部の位置を特定できる位置情報が前記磁気記録トラックに磁気的に消去不可能なパターンとして記録されていることを特徴とすることを特徴とする請求項５に記載の記録再生装置。
【請求項７】
互いに隣接配置されるように前記基板表面上を延出される記録トラックと、互いに隣接配置された前記記録トラックを互いに物理的に分離するトラック分離部と、前記記録トラックに形成され、磁気的に情報を記録可能な磁気記録層で作られる磁気記録領域と、前記磁気記録領域を分離するように前記記録トラックに形成され、磁気的に情報の記録が不能な磁気的欠損部とを具備する磁気記録媒体の前記記録層に情報を記録し、前記記録層から情報を再生する記録再生方法において、
前記欠損部の位置を特定できる位置特定情報を取得し、
前記再生情報から前記欠損部の位置を抽出し、この抽出された欠損位置と前記位置特定情報とを比較して前記磁気記録媒体を認証する
ことを特徴とする記録再生方法。
【請求項８】
前記磁気記録領域が互いに隣接する磁気記録トラックに形成され、互いに隣接する前記磁気記録トラックを物理的に分離するトラック分離部が前記基板上に形成されことを特徴とする請求項７に記載の記録再生方法。
【請求項９】
互いに隣接配置されるように前記基板表面上を延出される記録トラックと、互いに隣接配置された前記記録トラックを互いに物理的に分離するトラック分離部と、前記記録トラックに形成され、磁気的に情報を記録可能な磁気記録層で作られる磁気記録領域と、前記磁気記録領域を分離するように前記記録トラックに形成され、磁気的に情報の記録が不能な磁気的欠損部とを具備し、この磁気的欠損部の配列を特定するＩＤ情報が記録されている磁気記録媒体から前記ＩＤ情報を読み出すとともに前記磁気記録媒体を検索して前記磁気的欠損部の位置を特定して磁気的欠損位置情報を生成し、
前記ＩＤ情報とともに前記磁気的欠損位置情報を出力して認証を受けることを特徴とする認証方法。
【請求項１０】
前記ＩＤ情報は、前記磁気的欠損位置情報を外部に出力してこの磁気的欠損位置情報を特定する情報として外部から獲得されることを特徴とする請求項９の認証方法。
【請求項１１】
前記磁気記録媒体には、暗号化されたコンテンツが記録され、前記ＩＤ情報が前記磁気的欠損位置情報を特定する旨の認証として前記暗号化コンテンツを復元する復号キーを外部から受けることを特徴とする請求項７の認証方法。
【発明の詳細な説明】
【技術分野】
【０００１】
この発明は、記録媒体、記録再生装置及び記録再生方法に係り、特に、例えば、記録媒体に格納されたコンテンツのコピープロテクト或いはアクセスの可否などを管理するための記録媒体、この記録媒体を用いた認証方法、この認証方法を実行可能な認証システムに関する。
【背景技術】
【０００２】
デジタルデータの普及に伴い、音楽ソフト或いはビデオソフト、アプリケーションソフト等の著作権保護のためのコピープロテクション技術の重要性が増加している。コピープロテクトが特に要求されるソフトウェアの代表例としては、デジタル記録方式を採用したＤＶＤ（Digital Versatile Disk）ビデオディスク或いはＤＶＤ−ＲＯＭディスクなどを挙げることができる。これらデジタル記録のビデオソフトウエアに対するコピープロテクションには、従来、暗号化技術が利用されている。
【０００３】
暗号化技術を用いたコピープロテクト方法は、既に暗号化されたデータが記録されるＤＶＤビデオディスク或いはＤＶＤ−ＲＯＭディスクについては、有効に機能している。しかし、ユーザが新規にデータを記録できるＤＶＤ−ＲＡＭの場合、次のような問題が生じる。
【０００４】
（１）暗号化の際に必要とされる「暗号鍵」の管理が難しい。
【０００５】
（２）ユーザの手元に渡ってしまうデータ記録再生装置（例えば、広く普及しているアナログビデオカセットレコーダと同様に録画・再生をデジタルで行えるＤＶＤ−ＲＡＭレコーダなど）では、強力な暗号化処理が難しく、暗号が破られてしまいやすい。
【０００６】
（３）データ記録再生装置側で暗号化及びその復号化が行えるようになっている場合、一旦ユーザが作成して暗号化したデータを別のデータ記録再生装置で復号化した後に再度暗号化する処理を行うことにより、コピープロテクトしたいデータ内容のコピーが容易に行われてしまう。
【０００７】
これらの問題のために、デジタルビデオデータの記録再生装置に関しては、従来の暗号化技術を用いたコピープロテクトを有効に機能させることが難しい問題がある。また、ＤＶＤ−ＲＡＭドライブ側でＤＶＤ−ＲＡＭ用データ記録媒体に対して独自の方法でコピープロテクト処理を行おうとすると、そのデータ記録媒体をＤＶＤ−ＲＯＭドライブで再生し、或いは、逆にＤＶＤ−ＲＯＭディスクをＤＶＤ−ＲＡＭドライブで再生する場合に、コピープロテクト処理回路が複雑になるという問題がある。このことは、またＤＶＤ−ＲＡＭドライブの製品コストをアップさせる要因ともなる。
【０００８】
この発明の発明者は、既に記録媒体に認証領域を設け、この認証領域に第１の書き込み条件によりデータの書き換えが可能なＲＡＭビット及び第１の書き込み条件では、データの書き込みが不可能なＲＯＭビットを配列して記録データに関するコピープロテクトを実現できる記録媒体を特許文献１で提案している。
【０００９】
一方、近年、磁気記録媒体のさらなる高密度化に対応するために、隣接する磁気記録トラックを溝又は非磁性材料からなるガードバンドで分離し、隣接トラック間の磁気的干渉を低減するようにしたディスクリートトラック媒体が注目を集めている。このようなディスクリートトラック媒体を製造する際には、スタンパを用いたインプリント法によって磁気記録トラックをなす磁性体と非磁性体のパターンが形成されている。
【特許文献１】特開２００４−３９００６
【発明の開示】
【発明が解決しようとする課題】
【００１０】
特許文献１に開示された記録媒体によれば、確実なコピープロテクトを実現することができるが、更に簡便な方法によるコピープロテクトが求められている。
【課題を解決するための手段】
【００１１】
本発明は、上記問題点を解決するためになされてものであり、その目的は、記録データに対する安全かつ確実なコピープロテクトを行うことができ、不正コピーを防止できる記録媒体、認証方法、認証システム及び復元システムを提供することにある。
【００１２】
この発明によれば、
基板と、
互いに隣接配置されるように前記基板表面上を延出される記録トラックと、
前記隣接配置された記録トラックを互いに物理的に分離するトラック分離部と、
前記記録トラックに形成され、磁気的に情報を記録可能な磁気記録層で作られる磁気記録領域と、
前記磁気記録領域を分離するように前記記録トラックに形成され、磁気的に情報の記録が不能な磁気的欠損部と、
を具備することを特徴とする磁気記録媒体が提供される。
【００１３】
また、この発明によれば、
基板と、
互いに隣接配置されるように前記基板表面上を延出される記録トラックと、
前記隣接配置された記録トラックを互いに物理的に分離するトラック分離部と、
前記記録トラックに周期的に形成され、磁気的に情報を記録可能な磁気記録層で作られる磁気記録ドッドと、
前記磁気記録ドッドの周期的配列を分離するように前記記録トラックに形成され、磁気的に情報の記録が不能な磁気的欠損部と、
を具備することを特徴とする磁気記録媒体が提供される。
【００１４】
更に、この発明によれば、
互いに隣接配置されるように前記基板表面上を延出される記録トラックと、互いに隣接配置された前記記録トラックを互いに物理的に分離するトラック分離部と、前記記録トラックに形成され、磁気的に情報を記録可能な磁気記録層で作られる磁気記録領域と、前記磁気記録領域を分離するように前記記録トラックに形成され、磁気的に情報の記録が不能な磁気的欠損部とを具備する磁気記録媒体と、
前記欠損部の位置を特定できる位置特定情報を取得する取得部と、
前記磁気記録媒体の記録層に情報を記録し、前記記録層から情報を再生する記録再生部と、
前記記録再生部から再生された情報から前記欠損部の位置を抽出し、この抽出された欠損位置と前記位置特定情報とを比較して前記磁気記録媒体を認証する認証部と、
を具備することを特徴とする記録再生装置が提供される。
【００１５】
更にまた、この発明によれば、
互いに隣接配置されるように前記基板表面上を延出される記録トラックと、互いに隣接配置された前記記録トラックを互いに物理的に分離するトラック分離部と、前記記録トラックに形成され、磁気的に情報を記録可能な磁気記録層で作られる磁気記録領域と、前記磁気記録領域を分離するように前記記録トラックに形成され、磁気的に情報の記録が不能な磁気的欠損部とを具備する磁気記録媒体の前記記録層に情報を記録し、前記記録層から情報を再生する記録再生方法において、
前記欠損部の位置を特定できる位置特定情報を取得し、
前記再生情報から前記欠損部の位置を抽出し、この抽出された欠損位置と前記位置特定情報とを比較して前記磁気記録媒体を認証する
ことを特徴とする記録再生方法が提供される。
【００１６】
上述した磁気記録媒体においては、前記磁気記録層が基板表面上を延出され、前記磁気記録領域に磁気記録トラックを定め、前記磁気記録トラックを互いに物理的に分離するトラック分離部が前記磁気記録トラックを前記基板上に並設されて形成され、この磁気記録トラックに前記磁気的欠損部が設けられても良い。
【００１７】
さらに前記磁気記録トラックは、トラック方向に対し一定の間隔で分断され、分断部分には、磁気的に情報の記録が不可能な磁気的分断部が具備されていても良い。上記媒体を記録再生ヘッドにより情報記録する際、記録再生ヘッドは磁気的分断部によって一定の周期で分断された磁気記録トラック毎に情報記録を行う。即ち、磁気記録トラックが分断される周期は、記録再生ヘッドが記録する情報１単位分に相当している。
【００１８】
上記磁気記録媒体は、磁気記録トラックが磁気的分断部により一定周期で分断されているが、これは本発明の磁気的欠損部とは異なる。磁気的分断部は磁気記録トラックに沿って一定周期で配列しているのに対し、磁気的欠損部は一定周期では配列せず、ＩＤ情報と対応した固有の位置に散在している。
【発明の効果】
【００１９】
本発明により、記録装置に記録された情報が一般ユーザによりコピーされた場合に、オリジナル記録とコピー記録とを欠陥情報を用いて選別することが可能となり、認証或いはコピープロテクトを行うことが可能となる。
【発明を実施するための最良の形態】
【００２０】
発明者は、ディスクリートトラック記録媒体について着目し、ディスクリートトラック媒体の構造では、その記録媒体の製造コストを低減しながら、コピープロテクトを簡便な方式で実現し得る可能があるとの発想するに至っている。また、この発想の基にディスクリートトラック記録媒体に限らず、記録媒体のトラック中に欠損部が設けられ、この欠損部の配列を特定するＩＤ情報が真正にその欠損部の配列に対応している場合には、この記録媒体に記録されているコンテンツ或いはプログラムは、オリジナルであることを保証することができるとの着想に至っている。
【００２１】
以下、必要に応じて図面を参照しながら、この発明の一実施の形態に係る記録媒体、認証方法、認証システム及び復元システムを説明する。
【００２２】
図１は、本発明の一実施の形態に係る磁性記録媒体中の記録領域を概略的に示す平面図である。
【００２３】
図１に示されるように記録媒体、例えば、磁気ディスクには、磁気記録トラック２が互いに隣接配置され、トラック方向（記録再生方向）ＲＷに沿って記録領域中を延出されている。この磁気記録トラック２は、この磁気記録トラック２に沿って延出される非磁性体層で形成された非磁性分離部６で互いに物理的に分離されて磁気ディスクにディスクリートトラックを形成している。磁気記録トラック２には、データを磁気的に記録再生可能な複数の帯状の磁性層が磁気記録領域として形成されている。この図１に示される記録媒体が図４を参照して説明される円盤状の磁気ディスクであれば、記録再生方向に相当するトラック方向ＲＷは、そのディスクの円周に沿う方向に定められている。通常の円盤状ディスクでは、その回転方向が記録再生方向に定められ、この回転方向である円周方向に沿って磁気層としての磁気記録トラック２が延出されている。既に知られるように、スタンパを用いたインプリント法によって磁性体層と非磁性体層のパターンが形成されて磁気記録トラック２及び非磁性分離部６に定められる。
【００２４】
図１に示されるように、記録媒体の磁気記録トラック２は、その記録層が欠損されて記録領域を分離する欠損部（欠損セグメント）８を備え、この欠損部（欠損セグメント）８が記録媒体中の特定磁気記録トラック２の特定領域４に設けられている。この欠損部８は、非磁性分離部６と同様な非磁性体のセグメントとして形成されても良く、或いは、磁性体で形成されているが、その磁性体層の帯に凹部が形成されて欠損部（セグメント）８に定められても良い。
【００２５】
尚、非磁性分離部６も欠損部（セグメント）８と同様に磁性体で形成され、その磁性体層の帯に凹部が形成されて非磁性分離部６に定められても良いことは明らかである。
【００２６】
図示しない磁気ヘッドで磁気記録トラック２を検索する場合には、非磁性体のセグメントとして形成されている欠損部８は、磁気的には検知されず、また、磁性体層の帯に凹部が形成されている欠損部８では、磁気ヘッドとの間の距離が大きくなることから、同様に実質的に磁気的には、検知されないこととなる。
【００２７】
図１に示されるように帯状に延出される磁気記録トラック２に欠損部８が形成される場合に限らず、図２に示されるようにトラック方向ＲＷに沿って磁気記録トラック２の記録層が分断され、周期的に磁性ドット１２が配列された構造(パターンド媒体構造）を備えても良い。即ち、磁気記録トラック２は、トラック方向ＲＷに沿って周期的に多数の磁性ドット１２が配列されてトラックに定められ、その周期的に出現する磁性ドット１２の一部１８が欠損されても良い。即ち、周期的な磁性ドッド１２の配列が分離されても良い。周期的に磁性ドット１２が配列される磁気記録トラック２の領域には、非磁性分離部６と同様に非磁性体層で形成された非磁性分離ストライプ１０が設けられ、この分離ストライプ１０及び磁性ドット１２が交互に磁気記録トラック２の領域上に配列されている。また、磁気記録トラック２上の欠損部８は、少なくとも一対の分離ストライプ１０及び一対の分離ストライプ１０間の磁性ドット１２が本来形成されるべき部分に相当し、この部分が非磁性分離部６と同様に非磁性体層で形成されている。この分離ストライプ１０及び欠損部８は、磁性体で形成されているが、その磁性体層の帯に凹部が形成されて欠損部８に定められても良い。
【００２８】
図１及び図２に示される記録媒体では、磁気記録トラック２が互いに分離ストライプ１０で分離されているディスクリートトラック構造に形成されているが、図３に示されるように分離ストライプ１０が設けられず、記録媒体の全面に磁性層が形成され、磁気記録方向ＲＷに沿って磁気トラック２が並設されているような一般的な磁気記録媒体の特定領域４内に欠損部８が設けられても良い。
【００２９】
図４に示す円盤状のディスク２０にあっては、特定領域４内の欠損部８，１８の有無を特定するＩＤ情報２２がディスク２０の管理領域のセクタ領域に記録されている。このＩＤ情報２２自体には記録層の欠損位置、例えば、トラックアドレス及びセクタアドレスは記録されていない。ＩＤ情報２２には、欠損部８，１８がある旨及びこの欠損部８，１８の配置に固有のコードが記述されることとなる。
【００３０】
尚、記録層の欠損部８，１８の位置を特定できる情報は、後に説明されるように記録再生装置外のデータベースに保存されるが、記録媒体自体或いはこの記録媒体に情報を記録し、この記録媒体から情報を再生する記録再生装置に組み込まれたメモリに格納されていても良い。記録層の欠損部８，１８の位置を特定できる情報は、トラックアドレス及びセクタアドレス等のように記録層の欠損部の位置情報を羅列する場合に限らず、後述の記録層の欠損部の位置情報を記録している外部データベースをアクセスして欠損部の位置情報を読み出す為のアドレス番号等のＩＤ情報でも良い。また、ＩＤ情報２２及び欠損部の位置情報は、磁気記録領域中に、例えば、管理領域中に欠損部８，１８の配列（パターン）として記録されても良い。即ち、ＩＤ情報２２及び欠損部の位置情報は、磁気記録領域中に記録層の有無で生じるパターン或いは磁気的な記録が不可能な部分の配列（パターン）で記録されても良い。
【００３１】
次に、図５（ａ）〜（ｃ）及び図６を参照して、この発明の一実施の形態に係る記録再生装置における認証方法を説明する。
【００３２】
図５（ａ）〜（ｃ）は、図１に示された磁気記録トラックの構造、この磁気記録トラックに記録されるべき情報としてのシークエンスデータ、このシークエンスデータの記録媒体上での記録状態を概略的に示している。図５（ａ）に示されるように、ある記録領域４内で、磁性トラック２は、一部欠損部８を有し、図５（ｂ）に示されるように、この磁性トラック２に“１”と“０”若しくは“＋１”と“−１”等の２値からなるシークエンスデータが記録されるものとする。図５（ｂ）では、理解を容易にする為に、“−１”が白色で“＋１”が黒色で示されている。図示しない記録ヘッドには、図５（ｂ）に示されるよう磁気情報としてのシークエンスデータが供給されて図５（ａ）に示される磁気記録トラック２にこの情報が次々に記録される。この情報記録時には、記録媒体上の欠損位置に関係なく情報記録が実施されるが、磁気トラック２上の欠損部８には、情報が記録されない為、図５（ｃ）に示すように記録媒体上では、矢印２８で示すように白、黒及び白に相当するような一部情報、例えば、（−１，＋１，−１）が欠損部８に欠損のままに記録される。従って、図５（ｂ）に示されるようなシークエンスデータから一部が欠けた状態で磁気トラック２に記録されることとなる。
【００３３】
図６は、図５（ｃ）に示すように記録された情報の再生方法及び認証方法を示すフローチャートである。
【００３４】
情報の再生開始時には、予め記録媒体上の管理領域に記録されているＩＤ情報２２がステップＳ３０に示すように再生磁気ヘッドによって読み取られる。この再生磁気ヘッドから読み込まれた欠陥情報ＩＤ２２は、ステップＳ４０に示されるように一次的に管理データとしてＲＡＭ（図示せず）に格納される。全ての管理情報が読み込まれて次にデータ領域が再生磁気ヘッドによって検索されてプログラム、オーディオデータ或いはビデオデータ等のオブジェクトデータが再生磁気ヘッドによって読み出される。
【００３５】
このような管理情報及びオブジェクトデータを含む情報の再生時においては、ステップＳ３０における再生磁気ヘッドからの検出信号は、ステップＳ３２に示すように図示しないゲインアンプ、フィルタ、ピーク検出などの処理の後に、ステップＳ３４に示すようにエラー訂正が施されて復元データに変換されてステップＳ３６に示すように出力される。
【００３６】
ここで、エラー訂正はＥＣＣ(Error Correction Code)回路で実施される。エラー訂正には、例えば、情報記録時に符号化を用いる方法がある。符号化は、例えば、リードソロモン符号、畳み込み符号、連接符号、ビタビ復号、ターボ符号、ＬＤＰＣ符号（low density parity check codes）などがあるが、一般にどの符号を用いてもビット数ｋのデータブロックに対し、符号化により冗長なデータを加えてｎビット（ｎ＞ｋ）の誤り訂正符号を得る。この誤り訂正符号は、ビット数ｋのデータブロックに対しｍビットの誤り訂正能力を持つ。即ち、ｋビットのデータブロック中、ｍビットまではデータを誤って読みとっても、エラー訂正により元のデータを正しく復元できる。ビット数ｋ、符号長ｎに対する誤り訂正能力ｍの値は、符号方式によって異なる。上述した実施の形態に係る欠損部に於いては欠損したデータ量が誤り訂正能力ｍの値を超えない限り有効に作用する。従って本発明では符号化の具体的な手法は限定されない。例えば、リードソロモン符号では、ｊバイトの訂正能力を持つ為にｊ×２バイトのＥＣＣコードを用いている。各トラック中における欠損部８に格納可能な欠損データ（２値データ）は、リードソロモン符号の訂正能力を越えない数だけ与えることが当然に好ましく、エラー数がこの訂正能力を超えなければ、例え欠損部８で記録情報が失われていても、記録された情報を復元させることが出来る。この意味では、欠損部で失うデータがエラー訂正能力の範囲内に留まるように欠損部８が磁気記録トラック２に配置されることが必要とされる。
【００３７】
エラー訂正された復元データは、再生処理部或いは他のデータ処理部に供給されるとともにステップＳ３８に示されるようにエラー位置確認処理に移行される。このステップＳ３８においては、復元データとエラー訂正前の検出信号とが比較されて復元されたデータ位置に相当するエラーの位置が特定される。即ち、復元後のデータが復元前のデータと比較することで、エラー位置が特定される。特定されたエラーには、欠損部８に記録されるべきであったデータの他に、ディスク上の不良或いはデータ処理時における偶然起きた記録再生データが含まれているが、必ず欠陥部８に相当するエラーは、このステップＳ３８において抽出される。このステップＳ３８において、欠陥部８を原因とするエラー以外のエラー、例えば、特定ビット長以上のエラーは、欠陥部８を原因とするエラーでないとして排除処理をしても良い。
【００３８】
抽出されたエラーは、エラー位置のデータに変換されてエラー位置が特定される。即ち、エラーが生じたディスク上の位置として抽出エラー位置データが図示しないＲＡＭに格納される。エラーが生じたディスク上の位置は、ディスク上のトラックアドレス及びセクタアドレスとして特定される。
【００３９】
尚、記録された情報が画像或いは音楽の場合、エラー訂正により完全に情報を復元しなくても、ある程度再生情報を閲覧可能である。このような場合には、エラー訂正ではなく、パリティチェックなどのエラー発見機構によって情報エラー位置が判明し、記録層の欠損部８，１８の位置として把握しても良い。
【００４０】
次に、ステップＳ４２において、ステップＳ４０でＲＡＭに格納されている欠損情報ＩＤが参照されてディスクが欠陥部８を有するディスクであることが確認されると、このＩＤを基に当該ディスクが欠陥部８を有するディスクであることが確認される。また、ステップＳ４２において、欠損情報ＩＤが当該記録再生装置外の欠陥位置照合データベースに送られ、ステップＳ４４において、この欠損情報ＩＤを参照して欠陥位置照合情報が特定される。この欠陥位置照合情報が当該記録再生装置で取得されると、この欠陥位置照合情報を参照して抽出エラー位置データがその内に含まれているかが確認される。ステップS４６に示されるように、抽出エラー位置データの全て或いはその殆どが欠陥位置照合情報に含まれる場合には、当該ディスクに記録されていたプログラム或いはビデオ等のコンテンツデータは、真正なデータであり、オリジナルデータであることが確認される。記録されているデータがオリジナルであることが確認され、承認されると、ステップＳ３６からの出力が図示しないデコーダでデコードされ、或いは、更に他の処理部（図示せず）、例えば、暗号を復号する復号部でオリジナルデータとして処理される。
【００４１】
ここで、外部の欠陥位置照合データベースは、インターネットに接続された番組提供者（コンテンツプロバイダー）のデータベースが相当し、記録再生装置は、この番組提供者とコンテンツの供給を契約したユーザが利用する装置が該当する。契約者であるユーザは、欠陥部８の位置情報を番組提供者に知らせ、番組提供者から欠陥情報ＩＤを受けるような場合が該当する。
【００４２】
一方、オリジナルの媒体に記録された情報を異なる媒体にコピーした場合には、コピーされる情報は、磁化情報のみであり、実際の欠損部がコピー媒体には存在しないこととなる。従って、上記手法により読取エラー位置を比較した場合に、読取エラーは、コピーされた媒体上では生ぜず、記録領域に記録されていた欠損位置でエラーが起きていない状態が生じる。この場合には記録された情報がオリジナルでないことが判明する為、例えば、記録された情報を無効にする等のコピープロテクションを実施することが出来る。コピープロテクションは情報の暗号化技術を用いればより強固なものとなる。
【００４３】
上述した説明では、欠損情報ＩＤで参照される欠陥位置照合情報は、記録再生装置外のデータベースに格納されていることを想定しているが、欠陥位置照合情報が記録再生装置に設けられたメモリ、例えば、ＲＯＭ或いは不揮発性メモリに格納され、欠損情報ＩＤで参照されても良い。
【００４４】
尚、欠陥位置照合情報の記録領域が記録再生装置中にある場合には、記録装置が何らかの外部周辺機器と接続されていなくても認証が可能である。一方、ユーザが所有する装置外、例えばネットワーク上に欠陥位置照合情報が記録されている記録領域が存在する場合、この記録領域に何らかのユーザ認証機構を与えておけば、記録再生装置を使用する一般ユーザが勝手に欠陥位置を変更することが出来なくなり、より強固なコピー管理を実現することができる。
【００４５】
（実施例１）
次に、この発明の実施例として暗号化技術を用いたコピープロテクト方法について説明する。
【００４６】
上述した記録装置に、サーバーから何らかの情報をコピーして記録する場合のコピープロテクト方法について詳述する。
【００４７】
このコピープロテクト方法においては、記録装置中に具備された磁気記録媒体には、セクタ毎にｎビット分のサイズを有する欠損部８が記録層に人為的に与えられているものとする。また、磁気記録媒体への記録では、ｎより大きなｍバイトのエラー訂正能力を有するＥＣＣコードが付属しているものとする。各セクタに人為的に形成された欠損位置は、サーバーに記録され、記録媒体毎のＩＤと共に保管されているものとする。
【００４８】
サーバーに保管されているコンテンツデータ等の情報が特定ユーザの記録装置（単に特定の記録装置と称する。）に記録される際には、情報は、サーバーが暗号化し、暗号解除キーを作成する。次に、コピー先の媒体のＩＤをサーバーが受け取り、暗号化した情報を特定の記録装置に送る。この特定の記録装置側では、ＥＣＣコードと共にこの暗号化された情報をその記録媒体に記録する。
【００４９】
次に、特定の記録装置から他の権限のない記録装置（単に他の記録装置と称する。）へ暗号化された情報を暗号化したままコピーしたとする。この際に特定の記録装置の媒体ＩＤも読みとられ、他の記録装置側へコピーされたとする。ただし、特定の記録装置と他の記録装置の媒体における欠損位置は異なっているものとする。
【００５０】
特定の記録装置に記録された情報を再生する場合、まず、特定の記録装置がＥＣＣ回路を介して情報が復元される。人為的に形成された欠損の数ｎがエラー訂正能力ｍを越えない為、欠損を含むセクタに記録された情報も正しくエラー訂正されて出力される。次に、出力された暗号化情報を復元する際には、ＥＣＣ回路でエラー修正を行った部位と特定の記録装置の媒体ＩＤをサーバー側に送信する。サーバー側では、送られてきたエラー部位と媒体ＩＤとを、サーバー側で保管していた欠陥情報に照合する。サーバー側で保管されていたすべての欠陥部位が、送られてきたエラー部位に含まれる場合、サーバーは、この特定の記録装置を正規の記録装置として認証し、暗号鍵を送信する。従って、この特定の記録装置では、暗号鍵（復号化キー）を受け、これを用いて暗号化された情報を復元することが出来る。
【００５１】
他方、情報及び媒体ＩＤがコピーされた他の記録装置では、上記と同様の認証手法を用いた場合、エラー訂正を行った位置、即ち、人為的に形成された欠損位置が特定の記録装置と異なっている。従ってサーバー側で予め保管されている欠損位置と、他の記録装置から送られてきたエラー位置が異なっている為、他の記録装置を正規の記録装置とは認証せずに暗号鍵を送信しないこととなる。従って、特定の記録装置から情報をコピーされた他の記録装置では、暗号化された情報を復元することが出来ないこととなる。以上の動作によりコピープロテクト機能を確実に動作させることができる。
【００５２】
（実施例２）
図７（ａ）〜（ｃ）は、この発明の他の実施の態様に係る記録再生方法及び認証方法を示している。図７（ａ）は、図１に示された磁気記録トラックの構造を示し、図７（ｂ）は、この磁気記録トラックに記録されるべき情報としてのシークエンスデータを示し、図７（ｃ）は、このシークエンスデータの記録媒体上での記録状態を概略的に示している。
【００５３】
情報記録時に際しては、既に説明したように、始めに、媒体欠損位置ＩＤ情報及び欠損位置記録領域４から、図７（ａ）に示すような欠損部８の欠損位置が把握される。次に、図７（ｂ）に示すようなシークエンスデータの記録時には、図７（ｃ）に示すように、この欠損部８の欠損位置を避けてシークエンスデータが記録される。従って、磁気記録トラック２上では、欠損部８を避けてシークエンスデータが分離されて記録される。情報再生時には、同様に媒体欠損位置ＩＤ情報及び欠損位置記録領域４から図７（ａ）に示すような欠損部８の欠損位置が把握され、図７（ｃ）に示すように、この欠損部８の欠損位置を避けてシークエンスデータが再生される。従って、シークエンスデータは、正常に再生される。尚、情報記録時には、記録された情報とこの情報を記録した媒体のＩＤが記録媒体の管理領域に記録される。
【００５４】
しかし、欠損位置を有する他の記録装置の記録媒体に情報がコピーされた場合、記録された情報を再生する場合の欠損位置と、予め記録されている記録媒体のＩＤにより特定される欠損位置が異なっている。従って、オリジナル記録では無いことが判明する。これにより例えば記録された情報を無効にする等のコピープロテクションを実現することが出来る。
【００５５】
（媒体の作成方法）
図１に示される記録媒体は、好ましくは、以下の第１及び第２の製造方法のいずれかを経て作製することができる。
【００５６】
第１の製造方法（磁性体加工型）
始めに、記録媒体に設ける欠損位置とこの欠損位置に関連したＩＤ情報が作成されて欠損情報として記憶装置に記憶される。
【００５７】
次に、インプリントスタンパが図８（ａ）〜（ｄ）に示されるように作製される。
【００５８】
インプリントスタンパの作成工程では、図８（ａ）に示すように、平坦な面を有するインプリントスタンパ用基板５０、好ましくは、Ｓｉ基板若しくはガラス基板が用意され、この基板５０の平坦面上に電子線描画用のレジスト５２が塗布される。このレジスト５２には、図１に示すような磁気記録トラック２に相当するパターンが電子線描画され、このレジスト５２が現像処理されて図８（ｂ）に示されるようにパターンがレジスト５２の凹凸として基板５０上に形成される。パターンを描画する描画装置は、磁気記録トラック２のパターンをレジストの全周に亘って描画するとともにＩＤ情報に従って記録媒体上の管理領域にＩＤ情報に相当するコードを書き込み、欠損位置に従って記録媒体上の特定領域４に欠損部８を書き込むこととなる。従って、現像処理されたレジスト５２上には、磁気記録トラック２に相当する溝、ＩＤ情報に相当する凹凸及び欠損部８に相当する凸部が磁気記録トラック２に相当する溝内に形成される。
【００５９】
その後、図８（ｃ）に示されるようにレジスト５２上に電鋳によってスタンパ５４が形成される。スタンパ５４の材料は、Ｎｉが好ましいが、これに限定されない。スタンパ５４の表面には、レジスト５２の凹凸が逆転されて転写される。また、図示しないが、図８（ｂ）に示されるレジスト５２がエッチングされてレジスト５２の凹凸が基板５０に凹凸として転写することでスタンパが形成されても良い。
【００６０】
以上の工程によりインプリントスタンパ５４が用意される。そして、このインプリントスタンパ５４を利用して図８（ｄ）〜（ｇ）に示される工程を経て磁気記録媒体が製造される。
【００６１】
磁気記録媒体の製造工程では、図８（ｄ）に示されるように媒体用基板６０が用意され、この媒体用基板６０上に磁気記録用の磁性層６２が製膜される。この磁性層６２は、垂直磁気記録に適した材料が好ましく、記録用の強磁性膜が磁性層６２として形成される。尚、好ましいは、この記録用の強磁性膜の下には軟磁性材料から成る下地層が形成されて軟磁性下地層及び強磁性膜の２層構造で磁性層６２が構成される。この磁性層６２上には、図８（ｄ）に示されるように更にインプリント用のレジスト膜６４が塗布されてレジスト膜６４を備えた基板構造６６が用意される。
【００６２】
次に、図８（ｄ）に示されるレジスト膜６４を備えた基板構造６６上にインプリントスタンパが対面され、インプリント法に基づきインプリントスタンパがレジスト膜６４に押し付けられてインプリントスタンパ５４と基板構造６６との間に圧力が与えられる。従って、インプリントスタンパ５４の表面の凹凸パターンがレジスト膜６４の表面に転写される。この転写の後に、図８（ｅ）に示されるように、インプリントスタンパ５４が図８（ｄ）に示される基板構造６６から剥離される。
【００６３】
更に、図８（ｆ）に示すように凹凸パターンが形成されたレジスト膜６４がエッチングされることにより、基板構造６６の磁性層６２に同様の凹凸パターンが形成されるように加工される。即ち、図８（ｆ）に示すように磁性層６２は、レジスト層表面の凹凸パターンに応じてパターン化される。
【００６４】
その後、図８（ｇ）に示されるように、磁性層６２に磁性体パターンが形成された基板構造６６上にカーボン保護膜６８が設けられ、更に、このカーボン保護膜６８上に潤滑剤が塗布されて磁気記録媒体が完成される。ここで、潤滑剤は、磁気ヘッドが回転する磁気記録媒体上を滑らかに相対的な走行をさせるために設けられている。
【００６５】
図８（ａ）〜（ｇ）を参照して説明した方法により、図１或いは図２に示されるように記録層に欠損部を備えた磁性体トラック及び非磁性体のパターンが形成されている記録媒体が作製される。この記録媒体は、従来の手法と同様の方法で記録装置に組み込まれる。
【００６６】
第２の製造方法（基板加工型）
この第２２の製造方法においては、図９（ａ）〜（ｃ）に示されるようにインプリントスタンパは、第１の製造方法と同様の図８（ａ）〜（ｃ）に示される工程を経て作成される。従って、図９（ａ）〜（ｃ）に示される工程の説明は、図８（ａ）〜（ｃ）に示される工程において付した符号と同一符号を付してその説明を省略する。
【００６７】
次に、図９（ｄ）に示されるように媒体用基板６０が用意され、この媒体用基板６０上にインプリント用のレジスト膜６４が塗布されて媒体基板構造７０が用意される。この媒体基板構造７０は、図８（ｅ）に示されるようにインプリントスタンパ５４に対面され、インプリント法に基づきインプリントスタンパ５４がレジスト膜６４に押し付けられて媒体基板構造７０とインプリントスタンパ５４との間に圧力与えられる。従って、インプリントスタンパ５４の表面の凹凸パターンがレジスト膜６４の表面に転写される。この転写後に、インプリントスタンパ５４がレジスト膜６４から剥離される。
【００６８】
更に、図９（ｆ）に示すように凹凸パターンが形成されたレジスト膜６４がエッチングされることにより、基板構造６６の基板６０に同様の凹凸パターンが形成される。その後、図９（ｇ）に示されるように凹凸パターンが形成された基板６０上に磁気記録用の磁性層７２が製膜される。磁性層６２は、垂直磁気記録に適した材料が好ましく、記録用の強磁性膜が磁性層６２として形成される。尚、好ましいは、この記録用の強磁性膜の下には軟磁性材料から成る下地層が形成されて軟磁性下地層及び強磁性膜の２層構造で磁性層６２が構成される。最後に、凹凸パターンを有する基板６０上の磁性層６２にカーボン保護膜を設け、さらに潤滑剤を塗布して記録媒体が完成される。
【００６９】
上述した製造方法により、記録層の欠損部を記録層表面の磁性体凹部パターンとして有する記録媒体を作製することができる。この記録媒体は、従来と同様に記録装置でデータを記録することができる。
【図面の簡単な説明】
【００７０】
【図１】本発明の一実施の形態に係る磁性記録媒体中の記録領域を概略的に示す平面図である。
【図２】本発明の他の実施の形態に係る磁性記録媒体中の記録領域を概略的に示す平面図である。
【図３】本発明の更に他の実施の形態に係る磁性記録媒体中の記録領域を概略的に示す平面図である。
【図４】図１に示す磁気トラックが形成される磁気記録媒体としての磁気ディスクを概略的に示す平面図である。
【図５】（ａ）〜（ｃ）は、この発明の実施例に係る再生方法及び認証方法を説明する為の概略図であって、（ａ）は、図１に示された磁気記録トラックの構造を概略的に示す平面図、（ｂ）は、この磁気記録トラックに記録されるべき情報としてのシークエンスデータを示す模式図及び（ｃ）は、このシークエンスデータの記録媒体上での記録状態を示す模式図である。
【図６】図５（ｃ）に示すように記録されたシークエンスデータの再生方法及び認証方法を示すフローチャートである。
【図７】（ａ）〜（ｃ）は、この発明の他の実施例に係る再生方法及び認証方法を説明する為の概略図であって、（ａ）は、図１に示された磁気記録トラックの構造を概略的に示す平面図、（ｂ）は、この磁気記録トラックに記録されるべき情報としてのシークエンスデータを示す模式図及び（ｃ）は、このシークエンスデータの記録媒体上での記録状態を示す模式図である。
【図８】（ａ）〜（ｇ）は、図１に示される記録媒体を製造する方法における工程を概略的に示す断面図である。
【図９】（ａ）〜（ｇ）は、図１に示される記録媒体を製造する他の方法における工程を概略的に示す断面図である。
【符号の説明】
【００７１】
２．．．磁気記録トラック、４．．．特定記録領域、６．．．非磁性分離部、８、１８．．．欠損部、１０．．．非磁性分離ストライプ、１２．．．磁性ドッド、２２．．．ＩＤ情報、５０．．．基板、５２．．．レジスト、５４．．．インプリントスタンパ、６０．．．媒体用基板、６２．．．磁性層、６４．．．レジスト膜
【図１】
2006260713.tif 000003
【図２】
2006260713.tif 000004
【図３】
2006260713.tif 000005
【図４】
2006260713.tif 000006
【図５】
2006260713.tif 000007
【図６】
2006260713.tif 000008
【図７】
2006260713.tif 000009
【図８】
2006260713.tif 000010
【図９】
2006260713.tif 000011